(57)【特許請求の範囲】
【請求項１】
両端に挿入部及び引出部を備えたケーブルが挿通される挿通部と、
当該挿通部に挿通されたケーブルの外面にマーキングを施すマーキング部と、を備えるケーブル用マーキング具であって、
前記引出部側には、前記ケーブル外面に施されたマーキングが乾くまで当該ケーブルを内在させるための延長部を接続可能な接続部が設けられていることを特徴とするケーブル用マーキング具。
【請求項２】
前記挿入部と他の前記ケーブル用マーキング具の引出部とが対向するように、当該他のケーブル用マーキング具を連結可能な連結部が設けられていることを特徴とする請求項１に記載のケーブル用マーキング具。
【請求項３】
前記連結部は、
前記他のケーブル用マーキング具のマーキング部を、前記ケーブルの挿通軸を中心に周方向に傾けた状態で、連結可能であることを特徴とする請求項２に記載のケーブル用マーキング具。
【請求項４】
前記連結部は、前記挿入部側に形成されると共に、他のケーブル用マーキング具の引出部側に形成された接続部と、互いに連結可能であることを特徴とする請求項２又は３に記載のケーブル用マーキング具。
【請求項５】
前記延長部は、前記ケーブルが収容されるケーブル収容体であることを特徴とする請求項１から４のいずれか一項に記載のケーブル用マーキング具。
【請求項６】
前記ケーブルの外面に施されたマーキングを外部から視認するための確認部が形成されていることを特徴とする請求項５に記載のケーブル用マーキング具。
【請求項７】
請求項５又は６に記載のケーブル用マーキング具を使用してケーブルをマーキングするマーキング方法であって、
前記ケーブル収容体をその収容口が前記引出部と対向するように接続し、前記ケーブルを前記挿入部から前記挿通部に挿通していくことで、
前記ケーブル用マーキング具のマーキング部が、前記ケーブルの外面に順次マーキングを施していくと共に、当該ケーブルが前記引出部から前記ケーブル収容体内へと連続して挿通されることを特徴とするケーブルのマーキング方法。
【請求項８】
請求項２又は３に記載のケーブル用マーキング具を使用してケーブルをマーキングするマーキング方法であって、
前記延長部をその挿入口が前記引出部と対向するように接続するステップと、
他の前記ケーブル用マーキング具のマーキング部を前記ケーブルの挿通軸を中心に周方向に傾けた状態に、両ケーブル用マーキング具を連結するステップと、を含み、
前記両ステップ後に、前記ケーブルを前記他のケーブル用マーキング具の挿入部から挿通部に挿通していくことで、
両ケーブル用マーキング具のマーキング部が、前記ケーブル外面の異なる位置に順次マーキングを施していくと共に、当該ケーブルが前記ケーブル用マーキング具の前記引出部から前記延長部内へと連続して挿通されることを特徴とするケーブルのマーキング方法。
【発明の詳細な説明】
【技術分野】
【０００１】
本願発明は、ケーブルの外面に識別のための目印を付けるケーブル用マーキング具、ケーブルのマーキング方法、及びケーブル用マーキング装置に関する。
【背景技術】
【０００２】
従来、インク等を用いて電線などのケーブルの外面にマークを付けるためのケーブル用マーキング具が用いられてきた。これは、例えば複数本のケーブルを使用する際に、ケーブルごとにマークを施してその見分けを容易にするために用いる。
【０００３】
例えば、特許文献１には、フェルトペン（２）（以下、（）内で特許文献１の符号を示す。）を備え、ケーブル（９）に差し込んで移動させて、マーク線を付けるケーブル用マーキング具（１）が開示されている。このケーブル用マーキング具（１）は、略Ｃ字状をしており、ケーブル（９）外面にフェルトペン（２）先端が接触するように構成されている。マーク線を付ける際には、作業者は、先ずケーブル用マーキング具（１）をケーブル（９）に跨るように押し込んで取り付ける。そして、このケーブル用マーキング具（１）を移動させていくと、フェルトペン（２）がケーブル（９）の外面にマーク線を付けていくことになる。
【０００４】
そして、マーキングを施されたケーブルは、その後、様々な使用目的に使われる。例えば、マーキングが施されたケーブルを、そのまま目的の場所に這わせて設置したり、マーキングが施されたケーブルを束ねて保管したりする。また、マーキングが施されたケーブルを、そのまま電線管等のケーブル収容体に挿通させて使用する場合もある。いずれの場合も複数本のケーブルが使用されると見分けがつかなくなるが、ケーブル毎にフェルトペン（２）のインク色等を変更してマーキングを施しておけば、ケーブルの見分けが容易につく。
【先行技術文献】
【特許文献】
【０００５】
【特許文献１】特開２００２−７５０９０号公報
【発明の開示】
【発明が解決しようとする課題】
【０００６】
しかしながら、前述のケーブル用マーキング具（１）によってマーキングを施したケーブルを配線したり束ねて保管したり、また、電線管等に収容する際に、作業者はマーキング直後のケーブルに触れるため、乾ききっていないマーキングのインクが手や衣類等に付着して手等が汚れるという問題があった。
【０００７】
したがって、本発明は、上記課題を解決するためになされたものであり、手等を汚すことなくケーブルにマーキングを施すことを可能にするケーブル用マーキング具、ケーブルのマーキング方法、及びケーブル用マーキング装置を提供することにある。
【課題を解決するための手段】
【０００８】
請求項１に記載のケーブル用マーキング具は、両端に挿入部及び引出部を備えたケーブルが挿通される挿通部と、当該挿通部に挿通されたケーブルの外面にマーキングを施すマーキング部と、を備えるケーブル用マーキング具であって、引出部側には、ケーブル外面に施されたマーキングが乾くまでケーブルを内在させるための延長部を接続可能な接続部が設けられていることを特徴とする。
【０００９】
請求項２に記載のケーブル用マーキング具は、請求項１に記載のケーブル用マーキング具において、挿入部と他の前記ケーブル用マーキング具の引出部とが対向するように、他のケーブル用マーキング具を連結可能な連結部が設けられていることを特徴とする。
【００１０】
請求項３に記載のケーブル用マーキング具は、請求項２に記載のケーブル用マーキング具において、連結部は、他のケーブル用マーキング具のマーキング部を、ケーブルの挿通軸を中心に周方向に傾けた状態で、連結可能であることを特徴とする。
【００１１】
請求項４に記載のケーブル用マーキング具は、請求項２又は３に記載のケーブル用マーキング具において、連結部は、前記挿入部側に形成されると共に、他のケーブル用マーキング具の引出部側に形成された接続部と、互いに連結可能であることを特徴とする。
【００１２】
請求項５に記載のケーブル用マーキング具は、請求項１から４のいずれか一項に記載のケーブル用マーキング具において、前記延長部は、前記ケーブルが収容されるケーブル収容体であることを特徴とする。
【００１３】
請求項６に記載のケーブル用マーキング具は、請求項５に記載のケーブル用マーキング具において、ケーブルの外面に施されたマーキングを外部から視認するための確認部が形成されていることを特徴とする。
【００１４】
請求項７に記載のケーブルのマーキング方法は、請求項５又は６に記載のケーブル用マーキング具を使用するものであって、ケーブル収容体をその収容口が引出部と対向するように接続し、ケーブルを挿入部から挿通部に挿通していくことで、ケーブル用マーキング具のマーキング部が、ケーブルの外面に順次マーキングを施していくと共に、ケーブルが引出部からケーブル収容体内へと連続して挿通されることを特徴とする。
【００１５】
請求項８に記載のケーブルのマーキング方法は、請求項２又は３に記載のケーブル用マーキング具を使用するものであって、延長部をその挿入口が引出部と対向するように接続するステップと、他のケーブル用マーキング具のマーキング部をケーブルの挿通軸を中心に周方向に傾けた状態に、両ケーブル用マーキング具を連結するステップと、を含み、両ステップ後に、ケーブルを他のケーブル用マーキング具の挿入部から挿通部に挿通していくことで、両ケーブル用マーキング具のマーキング部が、ケーブル外面の異なる位置に順次マーキングを施していくと共に、ケーブルがケーブル用マーキング具の引出部から延長部内へと連続して挿通されることを特徴とする。
【００１６】
本発明のケーブル用マーキング装置は、両端に挿入部及び引出部を備えたケーブルが挿通される挿通部と、挿通部に挿通されたケーブルの外面にマーキングを施すマーキング部と、を備えるケーブル用マーキング具の引出部側に、ケーブル外面に施されたマーキングが乾くまでケーブルを内在させるための延長部を備えたことを特徴とする。
【発明の効果】
【００１７】
請求項１に記載のケーブル用マーキング具は、マーキング直後のケーブルに触れることを防止するために、ケーブル外面に施されたマーキングが乾くまで当該ケーブルを内在させるための延長部を接続可能な接続部が設けられている。そのため、この接続部に延長部が接続された状態で、作業者は挿入部からケーブルを挿入していけば、そのケーブルは、その外面にマーキングが施された後、マーキングが乾くまで延長部に内在する。つまり、作業者はマーキングされた直後のケーブルに触れることがないので、乾ききっていないマーキングのインクで、手や衣類等を汚すことがない。
【００１８】
請求項２に記載のケーブル用マーキング具によれば、請求項１のケーブル用マーキング具の効果に加えて、挿入部と他の前記ケーブル用マーキング具の引出部とが対向するように、他のケーブル用マーキング具を連結可能な連結部が設けられているので、連結されたケーブル用マーキング具の両方のマーキング部によって、ケーブル外面にマーキングを施すことができる。例えば、両ケーブル用マーキング具のマーキング部の位置や、マーキング部の種類（インクの色や接触部の太さ等）が互いに異なれば、両方のマーキング部によって最終的に施されるマーキングの態様（色や形等の見た目）を多様に変更することができ、その結果、識別性が向上し、マーキングの見落としを防止できると共に、マーキングのバリエーションが増えるので、より多くのケーブルの見分けをつけることができる。
【００１９】
請求項３に記載のケーブル用マーキング具によれば、請求項２のケーブル用マーキング具の効果に加えて、連結部は、他のケーブル用マーキング具のマーキング部をケーブルの挿通軸を中心に周方向に傾けた状態で、連結可能である。したがって、本ケーブル用マーキング具によってマーキングされるケーブル外面の位置と、他のケーブル用マーキング具によってマーキングされるケーブル外面の位置とを異ならせることができる。そのため、ケーブル外面の異なる位置に容易にマーキングを施すことができる共に、識別性が向上し、マーキングの見落としを防止できる。また、同一のケーブル用マーキング具を用意し、互いのマーキング部を周方向に傾けた状態で連結すれば、ケーブル外面の異なる位置にマーキングを施すことができる。つまり、同一のケーブル用マーキング具を利用できることから、それだけ生産コストを抑えることができる。
【００２０】
請求項４に記載のケーブル用マーキング具によれば、請求項２又は３のケーブル用マーキング具の効果に加えて、連結部は、前記挿入部側に形成されると共に、他のケーブル用マーキング具の引出部側に形成された接続部と、互いに連結可能である。したがって、他のケーブル用マーキング具の接続部は、延長部と接続するために利用できるだけでなく、両ケーブル用マーキング具を互いに連結するためにも利用できるので、接続部を有効に活用できる。
【００２１】
請求項５に記載のケーブル用マーキング具によれば、請求項１から４のいずれかのケーブル用マーキング具の効果に加えて、延長部は、ケーブルが収容されるケーブル収容体であるので、延長部として配線管等のケーブル収容体を利用できるだけでなく、マーキングが施されたケーブルをそのままケーブル収容体へと収容することができる。
【００２２】
請求項６に記載のケーブル用マーキング具によれば、請求項５のケーブル用マーキング具の効果に加えて、ケーブルの外面に施されたマーキングを外部から視認するための確認部が形成されているので、作業者は、この確認部からケーブルの外面にマーキングがされているかを確認することができ、マーキングのミスを防ぐことができる。
【００２３】
請求項７に記載のケーブルのマーキング方法によれば、請求項５又は６に記載のケーブル用マーキング具の効果に加えて、ケーブル収容体をその収容口が前記引出部と対向するように接続し、ケーブルを挿入部から挿通部に挿通していくという簡単な作業によって、ケーブルにマーキングを施すと共に、マーキングされた直後のケーブルを手で触れなくとも、ケーブルを引出部からケーブル収容体内へと連続して挿通させることができる。つまり、マーキングされたケーブルを、別途ケーブル収容体へと挿入する作業をしなくてもよく、作業効率が向上する。
【００２４】
請求項８に記載のケーブルのマーキング方法によれば、請求項２又は３に記載のケーブル用マーキング具の効果に加えて、前記延長部をその挿入口が引出部と対向するように接続するステップと、他のケーブル用マーキング具のマーキング部をケーブルの挿通軸を中心に周方向に傾けた状態に、両ケーブル用マーキング具を連結するステップとを含み、両ステップ後に、ケーブルを前記他のケーブル用マーキング具の挿入部から挿通部に挿通していくという簡単な作業によって、ケーブル外面の異なる位置にマーキングを施して視認性を高めることができる。
【００２５】
本発明のケーブル用マーキング装置によれば、マーキング直後のケーブルに触れることを防止するために、ケーブル外面に施されたマーキングが乾くまで当該ケーブルを内在させるための延長部を備えているので、作業者はマーキングされた直後のケーブルに触れることがなく、乾ききっていないマーキングのインクで、手や衣類等を汚すことがない。
【図面の簡単な説明】
【００２６】
【図１】本発明の一実施形態におけるケーブル用マーキング具の全体斜視図である。
【図２】（ａ）は、図１のケーブル用マーキング具の平面図、（ｂ）は正面図、（ｃ）は左側面図、（ｄ）は右側面図である。
【図３】（ａ）及び（ｂ）は、図１のケーブル用マーキング具の分解斜視図である。
【図４】（ａ）は、図１のケーブル用マーキング具の分解平面図、（ｂ）はマーキング部の平面図である。
【図５】図１のケーブル用マーキング具を用いてケーブルにマーキングを施す方法を示した図である。
【図６】図１のケーブル用マーキング具を用いてケーブルにマーキングを施す方法を示した図で、（a）はケーブル用マーキング具の引出部側の拡大図、（ｂ）はケーブル用マーキング具の平面図、（ｃ）は確認部の拡大正面図である。
【図７】図１のケーブル用マーキング具を用いてケーブルにマーキングを施す方法を示した図で、（a）はケーブル用マーキング具の平面図、（ｂ）は確認部の拡大正面図である。
【図８】図１のケーブル用マーキング具を２個連結した状態でケーブルにマーキングを施す方法を示した図で、（a）はケーブル用マーキング具の引出部側の拡大図、（ｂ）はケーブル用マーキング具の平面図である。
【図９】（ａ）は、本発明の一変形例のケーブル用マーキング具の平面図、（ｂ）は本発明の一変形例のケーブル用マーキング具の分解平面図である。
【図１０】（ａ）は、本発明の一変形例のケーブル用マーキング具の左側面図、（ｂ）及び（ｃ）は発明の一変形例のケーブル用マーキング具の平面図である。
【図１１】（ａ）は、本発明の一変形例のケーブル用マーキング具の右側面図、（ｂ）は本発明の一変形例のケーブル用マーキング具の右側面図、（ｃ）は本発明の一変形例のケーブル用マーキング具の左側面図である。
【図１２】（ａ）は、本発明の一変形例のケーブル用マーキング具の正面図、（ｂ）は本発明の一変形例のケーブル用マーキング具を３つ連結した状態の左側面図である。
【発明を実施するための形態】
【００２７】
以下に、本発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００２８】
まず、図１から４を参照して、本発明の一実施形態のケーブル用マーキング具１００の構成について説明する。
【００２９】
図１は、ケーブル用マーキング具１００の全体斜視図である。ケーブル用マーキング具１００は、本体部１０１と、当該本体部１０１の両端に設けられた挿入部１１０及び引出部１２０と、引出部１２０側の接続部１３０と、挿入部１１０及び引出部１２０を両端に備えた挿通部１４０と、マーキング部１５０と、挿通部１４０内を視認できる確認部１６０と、挿入部１１０側の連結部１７０とを備える。後述するが、接続部１３０に延長部としてケーブル収容体Ｄ１０を接続した状態で、挿入部１１０からケーブルを挿通部１４０へ挿通させていくと、マーキング部１５０がケーブル外面にマーキングを施し、引出部１２０からケーブル収容体Ｄ１０へ直接ケーブルが挿通し収容されていく。また、ケーブル収容体にケーブルを収容しない場合には、延長部Ｄ５が接続部１３０に接続される。以下、各部材をより詳細に説明する。なお、挿入部１１０から挿入されたケーブルは、挿通部１４０内をＹ軸に沿って挿通されていくので、このＹ軸を挿通軸と定義する。また、Ｙ軸に直角に交わる軸をマーキング軸Ｘと定義する。
【００３０】
図２（ａ）及び（ｂ）に示すとおり、挿通部１４０は、本体部１０１の左右両側を貫通すように、Ｙ軸を中心とした中空円筒状に形成されている。そして、その両端には、ケーブルを挿入するための挿入部１１０と、挿通部１４０からケーブルが引き出される引出部１２０とが、Ｙ軸を中心に形成されている。なお、この挿通部１４０の断面形状は、ケーブルが挿通可能であればどのような形状でもよいが、電源供給用としてよく用いられる平形のＶＶＦケーブルに合わせて、図２（a）から（ｄ）に示すように断面略楕円状とするのが望ましい。このように断面略楕円状とすることで、ＶＶＦケーブルは、ねじれたりすることなく挿通部１４０を挿通することができる。
【００３１】
また、図２（ａ）に示すように、２つの確認部１６０が、マーキング部１５０と挿入部１１０との間、及びマーキング部１５０と引出部１２０との間に形成されている。この確認部１６０は、本体部１０１を垂直に貫通するように形成され、その中間部が挿通部１４０の一部と連通している。したがって、本体部１０１の外部から（例えば、図１に示すようにマーキング部１５０側の斜め左右方向から）、確認部１６０を覗き込めば、挿通部１４０内部の状況を確認することができる。
【００３２】
次に、図２（ｂ）及び（ｃ）を参照して、引出部１２０側に設けられた接続部１３０の構成について説明する。接続部１３０は、引出部１２０を囲むように本体部１０１の側面内部に形成され、Ｙ軸を中心としたリング状の溝部１３１を有している。この溝部１３１は、底面部での直径がＬ１、縁部での直径がＬ２、幅がＨ１となっている。後述するように、当該溝部１３１には、ケーブル収容体Ｄ１の先端部Ｄ２が係止し、又は他のケーブル用マーキング具１００の係止部１７１が係止する。さらに、接続部１３０は、Ｙ軸を中心に垂直方向（言い換えると、ＸＹ平面の垂直上下方向）に、対称の位置に２つの凹部１３２を有している。
【００３３】
次に、図２（ｂ）及び（ｄ）を参照して、挿入部１１０側に設けられた連結部１７０の構成について説明する。連結部１７０は、本体部１０１の側面から挿入部１１０を囲むように突出形成され、Ｙ軸を中心とした円形の係止部１７１を有している。この係止部１７１の直径はＬ３、幅はＨ２となっている。さらに、連結部１７０は、Ｙ軸を中心に垂直方向（言い換えると、ＸＹ平面の垂直上下方向）に、対称の位置に２つの凸部１７２を有している。
【００３４】
次に、図３（ａ）及び（ｂ）に示すように、ケーブル用マーキング具１００の本体部１０１は、ヒンジ部１０２によって連結された上本体部１０１ａと下本体部１０１ｂとから構成されているので、上下に分離することができる。一方、上本体部１０１ａと下本体部１０１ｂとを互いに近づけて、係止爪１０４ａを係止部１０４ｂに係合させると、上本体部１０１ａと下本体部１０１ｂとが固定されて一体となる。
【００３５】
また、マーキング部１５０は、下本体部１０１ｂに設けられた断面半円状をした溝部１０５に、Ｘ軸方向へ移動可能にはめ込まれ、挿入部１１０と引出部１２０の間の位置にて、挿通部１４０に対して略直角（Ｘ軸がＹ軸に略直角に交わる）になるように配置されている。そして、断面半円状をした蓋部１０３は、係止爪１０３ａが係止孔１０３ｂに差し込まれて係合し、下本体部１０１ｂに固定される。すると、マーキング部１５０は、上下から蓋部１０３と溝部１０５に挟み込まれて、下本体部１０１ｂに装着される。このように、マーキング部１５０は着脱可能に本体部１０１に取り付けられる。なお、マーキング部１５０は下本体部１０１ｂに一体形成されてもよい。また、異なる位置にマーキング部１５０を複数設けてもよい。
【００３６】
次に、本体部１０１を上本体部１０１ａと下本体部１０１ｂに分離して開いた状態の平面図を図４（ａ）に示す。この上本体部１０１ａと下本体部１０１ｂは、Ｙ軸を含む平面で上下対称に構成されているので、各構成要素（挿入部１１０、引出部１２０、接続部１３０、挿通部１４０、確認部１６０、及び連結部１７０）は、上下対称に分離される。なお、説明の便宜上、上本体部１０１ａ側に分離された部分には小文字ａを、下本体部１０１ｂ側に分離された部分には小文字ｂを付した符号にて表している（例えば、挿入部１１０ならば、挿入部１１０ａと挿入部１１０ｂのように表す。）。
【００３７】
図４（ａ）に示すように、挿入部１１０ａ及び挿入部１１０ｂは、内径が外方に向かって広がる形状（挿入部１１０ａと挿入部１１０ｂが組み付けられた挿入部１１０では、内径が外方に向かって広がるラッパ形状となる）であるため、外方から挿入部１１０へケーブルを挿入しやすくなっている。また、確認部１６０ａは、上本体部１０１ａを外面から内面へ貫通するように形成されており、その一部の側面１６１ａが挿通部１４０ａと連通している。従って、上本体部１０１ａの外方から確認部１６０ａを介して挿通部１４０ａ内部を視認できる。同様に、確認部１６０ａと上下対称な形状をした確認部１６０ｂを介して、下本体部１０１ｂの外方から挿通部１４０ｂ内部を視認できる。
【００３８】
図４（ｂ）は、本体部１０１から取り外したマーキング部１５０の平面図を示している。このマーキング部１５０は、筒状の保持部１５１に油性ペンＰを挿入することができ、その挿入されたペンＰの先端の接触部Ｉが、保持部１５１の先端部１５２から突出する構造となっている。このマーキング部１５０が溝部１０５（図４（ａ）参照）にはめ込まれると、接触部Ｉが挿通部１４０内部へと突出するため（図６（ｂ）参照）、挿通部１４０内を挿通してきたケーブルの外面に接触部Ｉが接触し、インクが付着してマーキングが施される。後述するように、マーキング部１５０は挿通部１４０に向けて付勢されているので、接触部Ｉは挿通部１４０内のケーブル外面に押さえつけられることになる。なお、マーキングを施す手段としては、ペンＰのようにインクに限られず、ケーブル外面に付着可能な物質や材料であれば、当業者が考え得る限り、どのようなものでもよい。
【００３９】
ここで、マーキング部１５０が挿通部１４０に向けて付勢されることについて述べる。溝部１０５及び蓋部１０３の内径（図４（ａ）参照）は、マーキング部１５０の外径よりも広く形成されているので、溝部１０５及び蓋部１０３により上下から挟まれて装着されたマーキング部１５０は、Ｘ軸方向へ移動することができる。さらに、マーキング部１５０を溝部１０５にはめ込むと、保持部１５１の外周に取り付けられたバネ１５４の一端１５４ａは先端部１５２に当接し、他端１５４ｂは溝部１０５の突出した縁部１０６（図４（ａ）参照）に当接して、バネ１５４が縮む。そのため、バネ１５４の弾性力（復元力）により常に前方へ、つまり挿通部１４０側へ向けて、マーキング部１５０は付勢されることになる。
【００４０】
次に、ペンＰの付け替えについて述べる。マーキング部１５０の締付部１５５には、その内面にねじ山が設けられており、当該ねじ山と保持部１５１外面に設けられたねじ溝とが螺合している。そのため、締付部１５５を回転させると、締付部１５５はＸ軸方向へと移動できる。そして、保持部１５１の後端１５３の外面１５３ａは後方（図面では左側）へ向けて広がるように傾斜しているので、締付部１５５が後方へ移動してくると、締付部１５５の内面が後端１５３の外面１５３ａを押さえつけて、後端１５３が内側へ押されることになる。すると、後端１５３の内径が縮むため、挿入されたペンＰが抜けないように固定することができる。反対に、締付部１５５が前方（図面では右側）へ移動すると、後端１５３の内径が広がって固定が緩み、ペンＰを取り出すことができる。
【００４１】
では、図５から７を参照して、ケーブル用マーキング具１００を使用してケーブルにマーキングをする方法について説明する。
【００４２】
図５に示すように、建造物等のコンクリート壁面Ｔ１によって区画されている各部屋Ｒ１、部屋Ｒ２の天井Ｔ２裏に電線等のケーブルを敷設するために、予め壁面Ｔ１内に部屋Ｒ１と部屋Ｒ２を跨ぐように、波付管などのケーブル収容体Ｄ３が埋め込まれている。このケーブル収容体Ｄ３の先端に連結具Ｊが取り付けられ、この連結具Ｊに対して、一般的に用いられる波付管や蛇腹管などのケーブル収容体Ｄ１が連結されている。例えば、部屋Ｒ１側から複数のケーブルを部屋Ｒ２側へ通したい場合は、各ケーブルをケーブル収容体Ｄ１から挿入し、ケーブル収容体Ｄ３を介して隣接する部屋Ｒ２のケーブル収容体Ｄ４へと挿通させていく。しかし、ケーブルが複数あるので、ケーブル収容体Ｄ４側ではケーブルの見分けが付かなくなる。そこで、ケーブル収容体Ｄ１にケーブル用マーキング具１００を接続し（ここで、ケーブル用マーキング具１００の引出部１２０側に、延長部としてケーブル収容体Ｄ１、D３、及びD４からなるケーブル収容体D１０が備えられて、このケーブル用マーキング具１００とケーブル収容体D１０らなるケーブル用マーキング装置２００が構成される。）、挿入部１１０からケーブルを挿入してマーキング部１５０によってケーブルの外面に順次マーキングしていく。さらに、マーキングされたケーブルは、引出部１２０から連続してそのままケーブル収容体Ｄ１に挿入され、ケーブル収容体Ｄ３を介してケーブル収容体Ｄ４へと挿通される。ケーブルごとにインクの色を変更して、この作業を繰り返せば、ケーブル収容体Ｄ４側では、ケーブル毎に異なる色のマーキングが付され、ケーブルが複数あっても見分けをつけることができる。また、ケーブルは引出部１２０から連続してケーブル収容体Ｄ１に挿入されていくので、別途、ケーブル収容体へケーブルを挿入する作業をしなくてもよい。なお、ケーブル用マーキング具１００が接続可能なケーブル収容体は、配線用の波付管等に限られず、あらゆる用途に用いられるものが対象である。
【００４３】
また、ケーブルの挿通方法についてであるが、上述のように挿入部１１０からケーブルをケーブル収容体Ｄ１へ向けて押し込んでいく方法以外にも、例えば、ケーブル収容体Ｄ１に予め呼び線を挿通しておき、その呼び線をケーブル収容体Ｄ１側から手繰り寄せるように引っ張ることで、呼び線に連結されたケーブルを挿通させていくなど、当業者が考えうる限り、どのような挿通手段を採用してもよい。
【００４４】
なお、本実施例では、ケーブル外面に施されたマーキングが乾くまでケーブルを内在させるための延長部として、配線管等のケーブル収容体Ｄ１、D３、及びD４からなるケーブル収容体D１０を利用している。したがって、このケーブル収容体D１０の全長は、ケーブル外面に施されたマーキングが乾くまで当該ケーブルを内在させることができる長さであるとする。また、本実施例では、ケーブル収容体D１０へケーブルをそのまま収容する場合を想定して、ケーブル収容体D１０を延長部として利用しているが、ケーブル収容体へそのままケーブルを収容しない場合には、図９（a）を参照して後述するように、マーキングが乾くまでケーブルを内在させる延長部Ｄ５を接続する。
【００４５】
次に、図６及び図７を参照して、ケーブル用マーキング具１００がケーブルにマーキングする方法を、より詳細に説明する。
【００４６】
まず、図６（a）に示すように、作業者は対象となる円筒状のケーブル収容体Ｄ１にケーブル用マーキング具１００を接続するために、本体部１０１を上本体部１０１ａと下本体部１０１ｂとに分離する。次に、円筒状のケーブル収容体Ｄ１の先端部Ｄ２を溝部１３１ｂに嵌めこみ、上方から溝部１３１ａで挟むように上本体部１０１ａを閉じる。すると、溝部１３１ａと溝部１３１ｂとが合わされてリング状になった溝部１３１に先端部Ｄ２が係合する。この先端部Ｄ２の直径Ｌ４は、溝部１３１ｂの底面部１３３での直径Ｌ１以下で、縁部１３４での直径Ｌ２以上となっている。さらに、先端部Ｄ２の幅Ｈ３は、溝部１３１ｂの幅Ｈ１以下となっている。そのため、先端部Ｄ２は溝部１３１に確実に接続され、外れることがない。なお、溝部１３１の形状（直径や幅を含む）は、先端部Ｄ２の形状に応じて適宜変更が可能である。
【００４７】
また、延長部（ここでは、ケーブル収容体Ｄ１０を利用している）へケーブルを挿入する挿入口としての収容口ＤＯが引出部１２０と対向するように接続部１３０の溝部１３１に接続される。そのため、引出部１２０から挿通されてきたケーブルが、そのままケーブル収容体Ｄ１の収容口ＤＯへ挿入され、ケーブル収容体Ｄ１内へと挿通されていくことになる。
【００４８】
次に、ケーブル収容体Ｄ１にケーブル用マーキング具１００を接続した後、図６（ｂ）に示すように、ケーブルＫを挿入部１１０から挿入していく。この段階では、マーキング部１５０の先端の接触部ＩにケーブルＫが触れていないので、ケーブルＫにはマーキングが施されていない。また、作業者は、マーキング部１５０と挿入部１１０との間に位置する確認部１６０Ｒから、この確認部１６０Ｒの拡大正面図の図６（ｃ）に示すように、ケーブルＫが挿通部１４０内に確実に挿入されているかを確認できる。
【００４９】
さらに、この状態からケーブルＫを押し入れていくと図７（ａ）に示すように、ケーブルＫは、挿通軸であるＹ軸に沿って挿通部１４０内を進んでいく。そして、マーキング部１５０の先端の接触部ＩがケーブルＫの外面に接触してマーキングＭを施し、マーキングＭを施されたケーブルＫは、そのままケーブル収容体Ｄ１へと挿通されていく。また、引出部１２０とマーキング部１５０との間に位置する確認部１６０Ｌからは、挿通部１４０内部の様子を視認することができる。この確認部１６０Ｌの拡大正面図の図７（ｂ）からわかるように、挿通部１４０内を挿通し、マーキング部１５０を通過したケーブルＫの外面にマーキングＭが施されているのが確認できる。
【００５０】
また、接触部Ｉの位置は、図６（ｂ）の接触部Ｉの位置よりも、ケーブルＫに押されてＸ軸後方へ移動している。接触部ＩがＸ軸後方へ移動すると、マーキング部１５０も一体となって後方へ移動するが、バネ１５４によって挿通部１４０に向かう付勢力が働いているので、接触部ＩはケーブルＫの外面に常に接触できる。このように、マーキング部１５０はＸ軸方向に移動可能であると共に挿通部１４０に向けて付勢力が働くことから、接触部Ｉは、ケーブルＫの太さ（外径）に応じてＸ軸方向に前後すると共に、ケーブルＫの外面に常に接触できる。これにより、マーキング部１５０は、どのような太さのケーブルＫに対しても、その外面に確実にマーキングを施すことできる。
【００５１】
さらに、挿入部１１０、挿通部１４０、引出部１２０及び収容口ＤＯが、Ｙ軸上に一直線に並んでいることにより、挿入部１１０から挿入されたケーブルＫは、内壁にガイドされ屈曲することなくＹ軸に沿って一直線に、収容口ＤＯへと円滑に挿通されていく。なお、引出部１２０とケーブル収容体Ｄ１の収容口ＤＯは対向するように接続されているが、この対向とは、引出部１２０から出てきたケーブルＫが屈曲することなく、そのまま収容口ＤＯへと入ることができる程度に向き合うことと定義する。つまり、その範囲内であれば、引出部１２０に対して収容口ＤＯが直線的ではなく斜めに向かい合って接続されてもよい。
【００５２】
次に、図８を参照して、同一のケーブル用マーキング具１００を２個連結した状態でケーブルにマーキングする方法について説明する。説明の便宜上、ケーブル収容体に接続するケーブル用マーキング具を１００Ａ、このケーブル用マーキング具１００Ａに連結するケーブル用マーキング具を１００Ｂとする。
【００５３】
まず、作業者は、対象となる円筒状のケーブル収容体Ｄ１にケーブル用マーキング具１００Ａを接続する（当該接続方法については、図６（a）参照）。次に、図８（a）に示すように、ケーブル用マーキング具１００Ａとケーブル用マーキング具１００Ｂとを連結するために、ケーブル用マーキング具１００Ｂの本体部１０１Ｂを上本体部１０１Ｂａと下本体部１０１Ｂｂとに分離する。次に、ケーブル用マーキング具１００Ａの係止部１７１Ａを溝部１３１Ｂｂに嵌めこみ、上方から溝部１３１Ｂａで挟むように上本体部１０１Ｂａを閉じる。すると、溝部１３１Ｂａと溝部１３１Ｂｂとでリング状になった溝部１３１Ｂに、円形の係止部１７１Ａが係合する。
【００５４】
また、係止部１７１Ａの直径Ｌ３は、溝部１３１Ｂの底面部での直径Ｌ１以下で、溝部１３１Ｂの縁部１３４Ｂでの直径Ｌ２以上となっている。そして、係止部１７１Ａの幅Ｈ２は、溝部１３１Ｂの幅Ｈ１以下となっている。そのため、係止部１７１Ａは、溝部１３１Ｂに係止すると外れない。また、嵌めこまれた状態で、円形の係止部１７１Ａはリング状の溝部１３１Ｂ内でＹ軸を中心に回動（傾斜）することができる。すなわち、ケーブル用マーキング具１００Ａと１００ＢはＹ軸中心に互いに回動することできるので、マーキング部１５０Ａと１５０Ｂを互いに、ケーブルＫの挿通軸であるＹ軸を中心に周方向に傾けることができる（ただし、本実施例では、ケーブル用マーキング具１００Ａの凸部１７２Ａがケーブル用マーキング具１００Ｂの凹部１３２Ｂに係合して回動不能となり、後述するように、両ケーブル用マーキング具の互いに傾けて連結された状態が維持される。）。なお、係止部１７１Ａの形状（直径や幅を含む）は、溝部１３１Ｂの形状に応じて適宜変更が可能である。
【００５５】
本実施例では、図８（ｂ）に示すように、ケーブル用マーキング具１００Ｂは、マーキング部１５０Ｂを、挿通軸Ｙを中心に周方向に１８０度傾けた状態で、ケーブル用マーキング具１００Ａに連結されている。すなわち、ケーブル用マーキング具１００Ｂのマーキング部１５０Ｂは、ケーブル用マーキング具１００Ａのマーキング部１５０ＡとＹ軸中心に１８０度対称に位置するので（マーキング軸ＸＡとマーキング軸ＸＢとが対向するので）、ケーブルＫの対向する両面にマーキングを施すことになる。また、ケーブル用マーキング具１００Ａの凸部１７２Ａがケーブル用マーキング具１００Ｂの凹部１３２Ｂに係合するので（図８（a）参照）、ケーブル用マーキング具１００ＢがＹ軸を中心に周方向に１８０度傾けて連結された状態が維持される。なお、凹部１３２Ｂ又は凸部１７２Ａを、Ｙ軸を中心に所定角度αずらして設ければ、ケーブル用マーキング具１００Ａと他のケーブル用マーキング具１００Ｂとが、Ｙ軸を中心に所定角度α（互いのマーキング軸が所定角度α）だけ傾けて連結された状態が維持される（図１０（ａ）では、αが９０度となっている）。
【００５６】
次に、作業者は、図８（ｂ）に示すように、ケーブル用マーキング具１００Ａとケーブル用マーキング具１００Ｂとを連結した後、ケーブルＫをケーブル用マーキング具１００Ｂの挿入部１１０Ｂから挿入していく。挿入されたケーブルＫは、挿通部１４０Ｂから引出部１２０Ｂを通り、引出部１２０Ｂからケーブル用マーキング具１００Ａの挿入部１１０Ａへとそのまま進んでいく。そして、ケーブルＫは挿通部１４０Ａを通って引出部１２０Ａから収容口ＤＯへとそのまま進んでいく。すると、ケーブルＫが挿入部１１０Ｂから収容口ＤＯへ向けて挿通されていくのに伴い、マーキング部１５０ＢによりマーキングＭＢが、マーキング部１５０ＡによりマーキングＭＡが、ケーブルＫ外面の異なる位置（１８０度反対の両側面）に順次施されていく。すなわち、作業者は、ケーブル収容体Ｄ１とケーブル用マーキング具１００Ａを接続し、ケーブル用マーキング具１００Ａとケーブル用マーキング具１００Ｂとを連結させた状態で、ケーブルＫを挿入部１１０Ｂから挿通させさえすれば、あとは、ケーブルＫの外面の異なる位置にマーキングＭＡとマーキングＭＢが施されてケーブルＫの視認性が高まると共に、マーキングされたケーブルＫを直接手で触れずに、ケーブル収容体Ｄ１へとケーブルＫを挿通していくことができる。
【００５７】
また、ケーブル用マーキング具１００Ａの挿入部１１０Ａとケーブル用マーキング具１００Ｂの引出部１２０Ｂとが対向し、ケーブル用マーキング具１００Ａの引出部１２０Ａとケーブル収容体Ｄ１の収容口ＤＯとが対向している。そのため、ケーブルＫは屈曲することなく、円滑に挿入部１１０Ｂから収容口ＤＯへと挿通されていく。さらに、挿入部１１０Ｂから収容口ＤＯまでの経路をＹ軸に沿って略直線状にすることで、ケーブルＫをより滑らかに挿通させていくことができる。なお、ケーブル用マーキング具１００Ａの挿入部１１０Ａとケーブル用マーキング具１００Ｂの引出部１２０Ｂとが対向しているが、この対向とは、引出部１２０Ｂから出てきたケーブルＫが、屈曲することなく、そのまま挿入部１１０Ａへと入ることができる程度に向き合うことと定義する。つまり、その範囲内であれば、挿入部１１０Ａと引出部１２０Ｂとが直線的ではなく斜めに向かい合って連結されてもよい。
【００５８】
以下、本発明の一実施形態のケーブル用マーキング具１００の作用効果について説明する。
【００５９】
本実施形態のケーブル用マーキング具１００では、ケーブル外面に施されたマーキングが乾くまでケーブルを内在させるための延長部を接続可能な接続部１３０が設けられている。そのため、作業者は接続部１３０に延長部としてのケーブル収容体D１０を接続し、挿入部１１０からケーブルＫを挿入していけば、挿通部１４０を挿通するケーブルＫの外面にマーキングが施され、その後、延長部としてのケーブル収容体D１０にケーブルＫが内在される。そのため、マーキングされた直後のケーブルＫに触れることがないので、乾ききっていないマーキングのインクで、手や衣類等を汚すことがない。また、接続部１３０によって、ケーブル収容体D１０とケーブル用マーキング具１００は確実に接続されているので、作業中に外れる心配もない。さらに、収容口ＤＯと引出部１２０とが対向するように接続されているので、引出部１２０から出てきたケーブルＫは、そのままケーブル収容体D１０へと挿通される。
【００６０】
また、本実施形態のケーブル用マーキング具１００は、挿入部１１０とマーキング部１５０との間と、マーキング部１５０と引出部１２０との間に、それぞれ確認部１６０Ｒ及び確認部１６０Ｌを備えている。そのため、確認部１６０Ｒでは、挿入部１１０から挿入されたケーブルＫが挿通部１４０へ確実に挿通されているかを確認することができ、さらに、確認部１６０Ｌでは、ケーブルＫの外面に確実にマーキングが施されているかを確認することができる。
【００６１】
また、本実施形態のケーブル用マーキング具１００Ａは、挿入部１１０Ａと他のケーブル用マーキング具１００Ｂの引出部１２０Ｂとが対向するように、当該他のケーブル用マーキング具１００Ｂを連結可能な連結部１７０Ａが設けられている。したがって、両方のマーキング部１５０Ａと１５０Ｂによって、ケーブル外面にマーキングを施すことができる。例えば、互いのマーキング部の位置が異なるケーブル用マーキング具１００Ａと１００Ｂを連結させたり、マーキング部１５０Ａとマーキング部１５０ＢのペンＰのインク色や、接触部の太さ等が互いに異なるケーブル用マーキング具を連結させれば、最終的に両マーキング部によって施されるマーキングの態様（形や色等の見た目等）を多様に変更することができ、その結果、識別性が向上し、マーキングの見落としを防止できる。さらに、例えばペンＰの種類がＮ個あれば、両マーキング部によって最終的に施されるマーキングはＮ×Ｎ個のバリエーションを有することができ、より多くのケーブルの見分けをつけることができる。
【００６２】
また、本実施形態のケーブル用マーキング具１００は、他のケーブル用マーキング具１００Ｂのマーキング部１５０Ｂを、ケーブルＫの挿通軸Ｙを中心に周方向に傾けた状態で、連結可能である。したがって、両ケーブル用マーキング具１００Ａと１００Ｂによって、ケーブル外面の異なる任意の位置にマーキングを施すことができ、その結果、識別性が向上し、マーキングの見落としを防止できる。また、同一のケーブル用マーキング具１００Ａと１００Ｂを用意して互いに傾斜させて連結すれば、ケーブル外面の異なる位置にマーキングを施すことができる。つまり、同一のケーブル用マーキング具を利用できることから、それだけ生産コストを抑えることができ、また使い勝手もよい。
【００６３】
また、本実施形態のケーブル用マーキング具１００の連結部１７０と、他のケーブル用マーキング具１００Ｂの接続部１３０Ｂとは、互いに連結可能である。したがって、他のケーブル用マーキング具１００Ｂの接続部１３０Ｂは、ケーブル収容体Ｄ１の収容口ＤＯと接続するために利用できるだけでなく、ケーブル用マーキング具１００Ａと１００Ｂとを互いに連結するためにも利用できるので、接続部１３０Ｂを有効に活用できる。
【００６４】
さらに、本実施形態のケーブル用マーキング具１００は、その本体部１０１を上本体部１０１ａと下本体部１０１ｂに分離可能にした。したがって、作業者は、接続部１３０の溝部１３１ａと溝部１３１ｂとで、ケーブル収容体Ｄ１の先端部Ｄ２を上下から挟み込むようにして、ケーブル収容体Ｄ１とケーブル用マーキング具１００とを確実且つ容易に接続できる。また、溝部１３１には、他のケーブル用マーキング具１００の連結部１７０の係止部１７１を嵌め込むことができる。したがって、作業者は上本体部１０１ａの溝部１３１ａと下本体部１０１ｂの溝部１３１ｂとで、係止部１７１を上下から挟み込めば、２つのケーブル用マーキング具１００を確実且つ容易に連結することができる。
【００６５】
また、マーキング部１５０には、常に挿通部１４０へ向かう付勢力がバネ１５４により付与されている。したがって、ケーブルＫの太さ（径）が変わっても、確実にケーブルＫの外面にマーキングを施すことができる。
【００６６】
次に、本発明の変形例を一実施形態のケーブル用マーキング具１００と対比しつつ説明するが、一実施形態と共通する構成については説明を省略する。
【００６７】
（変形例１）
一実施形態のケーブル用マーキング具１００は、図５に示すような配線用の波付管等のケーブル収容体にそのままケーブルを収容する場合に対応したものであったが、これに限定されない。図９（ａ）に示すケーブル用マーキング具１００Ｃのように、ケーブルＫＣを収容しない場合に対応させて、マーキング直後のケーブルＫＣに触れることを防止するための手段として、ケーブル外面に施されたマーキングＭＣが乾くまでケーブルＫＣを内在させる延長部Ｄ５を備えてもよい（ここで、ケーブル用マーキング具１００Cの引出部１２０C側に、延長部D５が備えられて、このケーブル用マーキング具１００Cと延長部D５からなるケーブル用マーキング装置２００Cが構成される。）。この延長部Ｄ５は波付管を長さＬ５に切断したもので、その先端が引出部１２０Ｃ側の接続部１３０Ｃに接続されている。長さＬ５は、マーキング部１５０Ｃによって施されたマーキングＭＣが、延長部Ｄ５内を挿通しながら乾くのに十分な長さとなっている。例えば、マーキングＭＣがインクの場合は、そのインクが乾くのに必要な時間だけ、ケーブルＫＣを内在可能な長さに設定される。勿論、ケーブルＫＣが挿通される速度や、インクの乾燥時間によって、その長さは適宜変更する。
【００６８】
そして、この延長部Ｄ５の挿入口Ｄ７は引出部１２０Ｃに対向しているので、挿通されてきたケーブルＫＣは引出部１２０Ｃからそのまま延長部Ｄ５内を通り、挿入口Ｄ７の反対側の引出口Ｄ６から出てくる。引出口Ｄ６から出てきた際には、マーキングＭＣは既に乾いており、ケーブルＫＣを配線したり束ねて保管したりするために、作業者がケーブルＫＣを手で持っても、マーキングＭＣのインク等によって手が汚れたりすることはない。また、延長部Ｄ５を別体として接続部１３０Ｃに接続するのではなく、延長部Ｄ５を本体部１０１Ｃに一体形成してもよい。さらに、延長部Ｄ５は波付管に限られず、ケーブルＫが内在可能なものであれば、当業者が考えうる限り、どのような構造でもよい。なお、本体部１０１Ｃに延長部Ｄ５を一体形成した場合においては、不図示であるが、ケーブル用マーキング装置２００Cに同一の他のケーブル用マーキング装置を連結できるように、連結部１７０Cが、他の延長部の引出口と連結可能に構成される。例えば、他の延長部の引出口を連結部１７０Cに差し込んで内嵌することができる構成など、当業者が考え得る限り、どのような構成をとってもよい。
【００６９】
（変形例２）
一実施形態のケーブル用マーキング具１００では、マーキング部１５０のペンＰの接触部ＩがケーブルＫに接触して、マーキングを施していたがこれに限定されない。例えば、図９（ｂ）に示すように、マーキング部１５０Ｄの接触部ＩＤがケーブルＫＤに回転しながら接触して、マーキングＭＤを施すものであってもよい。この接触部ＩＤは、軸部材１５５Ｄにより回転可能に軸支されているので、ケーブルＫＤが挿通されていくのに伴い、ケーブルＫＤの外面を転がるように接触しながらインクを付けていく。なお、施されるマーキングは線状に連続して施されているが、これに限定されず、たとえば不連続であってもよい。
【００７０】
（変形例３）
一実施形態のケーブル用マーキング具１００の接続部１３０は、Ｙ軸を中心に垂直方向の対称の位置に２つの凹部１３２を有していたが、これに限定されない。例えば、図１０（ａ）に示すように、Ｙ軸を中心に、所定角度α（本変形例では、αは９０度）ずらして、２つの凹部１３２Ｅを設けてもよい。このケーブル用マーキング具１００Ｅの接続部１３０Ｅに、ケーブル用マーキング具１００の連結部１７０を連結して、凹部１３２Ｅに凸部１７２を係止させる。すると、ケーブル用マーキング具１００のマーキング部１５０とケーブル用マーキング具１００Ｅのマーキング部１５０Ｅは、互いに角度αだけ傾斜した状態に維持され、ケーブルＫの異なる側面（本変形例では、ケーブルＫの直角に交わる側面）にマーキングを施すことができる。また、不図示であるが、接続部１３０Ｅの凹部１３２Ｅではなく、連結部１７０Ｅの凸部１７２Ｅを、Ｙ軸を中心に所定角度αずらして設け、当該連結部１７０Ｅを他のケーブル用マーキング具１００の接続部１３０に連結しても、上記と同様に、マーキング部１５０とマーキング部１５０Ｅは、互いに角度αだけ傾斜した状態に維持される。
【００７１】
（変形例４）
一実施形態のケーブル用マーキング具１００では、接続部１３０の溝部１３１にケーブル収容体Ｄ１の先端部Ｄ２を嵌め込んで接続していたが、これに限定されない。例えば、図１０（ｂ）に示すように接続部としての係止爪１３０Ｇが先端部Ｄ２に係止するものであってもよい。この係止爪１３０Ｇは弾性部材で構成されており、係止爪１３０Ｇを外側へ僅かに変形させて、先端部Ｄ２に係止させて接続する。また、接続を解除する際にも、係止爪１３０Ｇを外側へ僅かに変形させて、先端部Ｄ２を取り外す。なお、ケーブル用マーキング具１００Ｇに同一のケーブル用マーキング具１００Ｈを連結させるために、ケーブル用マーキング具１００Ｈの係止爪１３０Ｈが係止可能な係止部１７０Ｇを設けている。
【００７２】
（変形例５）
一実施形態のケーブル用マーキング具１００では、接続部１３０がケーブル収容体Ｄ１の先端部Ｄ２を上下から内側に挟み込む（言い換えると、先端部Ｄ２を接続部１３０内に内嵌する）構成となっていたが、これに限定されない。例えば、図１０（ｃ）に示すように、接続部１３０Ｉを収容口Ｄ８に差し込む（言い換えると、収容口Ｄ８を接続部１３０Ｉに外嵌する）構成としてもよい。この接続部１３０Ｉは円筒形状であり、引出部１２０Ｉ側の本体部１０１Ｉから突出形成されている。そして、接続部１３０Ｉを収容口Ｄ８へ差し込むことで、収容口Ｄ８とケーブル用マーキング具１００Ｉが接続される。なお、ケーブル用マーキング具１００Ｉに同一のケーブル用マーキング具１００Ｊを連結させるために、挿入部１１０Ｉ側には、ケーブル用マーキング具１００Ｊの接続部１３０Ｊを嵌め入れることのできる嵌入孔１７３Ｉを連結部として設けている。なお、図１０（ｂ）に示すような円筒状のケーブル収容体Ｄ１に限られず、図１０（ｃ）に示す収容口Ｄ８が設けられた箱体や壁面Ｗに接続してもよく、ケーブルを収容するものであれば、どのようなものでもよい。
【００７３】
（変形例６）
一実施形態のケーブル用マーキング具１００Ａでは、連結部１７０Ａと、他のケーブル用マーキング具１００Ｂの接続部１３０Ｂとが連結可能であったが、これに限定されない。例えば、連結部１７０Ａの代わりに、図１１（a）に示すように、挿入部１１０Ｋ側の本体部１０１Ｋ側面へ両面テープ１７０Ｋを設けてもよい。この両面テープ１７０Ｋは、挿入部１１０Ｋを囲むように配置されており、この挿入部１１０Ｋと他の引出部とが対向するように、他のケーブル用マーキング具の引出部側の本体部側面に接着される。すると、両ケーブル用マーキング具は、両面テープ１７０Ｋの接着力によって連結される。また、Ｙ軸を中心に所定角度αずらして両ケーブル用マーキング具を両面テープ１７０Ｋにより連結することもできる。なお、この両面テープ１７０Ｋの接着力は、両ケーブル用マーキング具が連結された状態を維持できる程度であることが望ましい。また、ケーブル用マーキング具の本体部が磁性金属で構成されていれば、両面テープ１７０Ｋの代わりに磁石を用いることで、両ケーブル用マーキング具を連結することもでき、その他、当業者が考え得る限り、どのような連結手段をとってもよい。
【００７４】
（変形例７）
また、図１１（ｂ）に示すように、挿入部１１０Ｌ側には連結部１７０の代わりに、係合突起１７０Ｌを、挿入部１１０Ｌを囲むように複数（本変形例では８個）設けてもよい。そして、図１１（ｃ）に示す引出部１２０Ｌ側には、この突起１７０Ｌを嵌め入れることのできる嵌入孔１８０Ｌが、引出部１２０Ｌを囲むように複数（本変形例では８個）設けられている。したがって、係合突起１７０Ｌを他のケーブル用マーキング具の嵌入孔１８０Ｌに嵌め入れれば、挿入部１１０Ｌと他の引出部とが対向するように、両ケーブル用マーキング具は連結される。また、Ｙ軸を中心に所定角度αずらして両ケーブル用マーキング具を連結するために、各係合突起１７０Ｌ及び各嵌入孔１８０Ｌは、Ｙ軸を中心とした円周上に等間隔に配置されている。
【００７５】
（変形例８）
一実施形態のケーブル用マーキング具１００では、確認部１６０は、本体部１０１を垂直に貫通するように形成されていたが、これに限定されない。例えば、図１２（a）に示すように、確認部１６０Ｍは、本体部１０１Ｍを水平に（マーキング軸ＸＭと平行に）挿通部１４０Ｍへ貫通するように形成してもよい。この確認部１６０Ｍの底部１６１Ｍは、挿通部１４０Ｍと連通しているので、マーキング部１５０Ｍ側のＸＭ軸方向から確認部１６０Ｍを覗き込めば、挿通部１４０Ｍ内部の状況を確認することができる。このように、確認部の位置及び形状は、挿通部にその一部が連通し、外部から挿通部内部を確認できるものであれば、適宜変更が可能である。
【００７６】
（変形例９）
一実施形態のケーブル用マーキング具１００Ａ及び１００Ｂでは、２つのケーブル用マーキング具を互いに傾斜させて連結していたが、これに限定されない。例えば、図１２（ｂ）に示すように、ケーブル用マーキング具１００Ｎ、１００Ｏ及び１００Ｐの３つのケーブル用マーキング具を互いに傾斜させて連結してもよい。ケーブル用マーキング具１００Ｎと１００Ｏは、互いに角度βだけ傾け、ケーブル用マーキング具１００Ｏと１００Ｐは、互いに角度γだけ傾けた状態で、それぞれ連結している。そのため、ケーブル用マーキング具１００Ｎの挿入部１１０Ｎから挿入され、ケーブル用マーキング具１００Ｐの引出部１２０Ｐ側から引き出されたケーブルＫＰには、各マーキング部（１５０Ｎ、１５０Ｏ、及び１５０Ｐ）によって３つの異なる外面に各マーキング（ＭＮ、ＭＯ、及びＭＰ）が施される。なお、ケーブル用マーキング具は３つ以上連結してもよく、互いの傾斜角度を調節することで、ケーブル外面の任意の位置にマーキングを施すことができる。
【００７７】
なお、本願発明のケーブル用マーキング具及びケーブルのマーキング方法は、上記の実施例に限定されず、特許請求の範囲に記載された範囲、実施形態の範囲で、種々の変形例、組み合わせが可能であり、これらの変形例、組み合わせもその権利範囲に含むものである。
【符号の説明】
【００７８】
１００        ケーブル用マーキング具
１１０        挿入部
１２０        引出部
１３０        接続部
１４０        挿通部
１５０        マーキング部
１６０        確認部
１７０        連結部
Ｋ            ケーブル
Ｄ１          ケーブル収容体
ＤＯ          収容口
【図１】
0005841012.tif 000002
【図２】
0005841012.tif 000003
【図３】
0005841012.tif 000004
【図４】
0005841012.tif 000005
【図５】
0005841012.tif 000006
【図６】
0005841012.tif 000007
【図７】
0005841012.tif 000008
【図８】
0005841012.tif 000009
【図９】
0005841012.tif 000010
【図１０】
0005841012.tif 000011
【図１１】
0005841012.tif 000012
【図１２】
0005841012.tif 000013